(57)【要約】【課題】映像をモニタに表示するまでの待ち時間を低減する。【解決手段】デジタル放送受信機は、所定数（ここでは、２個）のＨＤＭＩポート１９１、１９２毎に、各ＨＤＭＩポート１９１、１９２に接続された外部機器４１、４２との間で認証処理をそれぞれ行う認証ＩＣ１９３ａ、１９３ｂを備え、デジタル放送受信機のＭＰＵ１１は、リモコン３を介して受け付けられた操作入力に基づいて、１のＨＤＭＩポート１９１（又は、ＨＤＭＩポート１９２）を映像入力端子として選択する端子選択部１１３と、選択された１のＨＤＭＩポートを介して接続された外部機器４１（又は、外部機器４２）から、対応する認証ＩＣ１９３ａ（又は、認証ＩＣ１９３ｂ）を介して映像情報を受信する映像受信部１１４と、受信された映像情報をディスプレイ２１に出力する表示制御部１１５と、を備えている。【選択図】図２
2008306232.tif 000002
【特許請求の範囲】
【請求項１】
２以上の予め設定された所定数の入力端子を備え、該所定数の入力端子の中から選択された１の入力端子を介して外部機器から入力された映像情報をモニタに出力可能に構成された映像受信装置であって、
前記所定数の入力端子毎に、各入力端子に接続された外部機器との間で認証処理をそれぞれ行う前記所定数の認証実行手段と、
外部からの操作入力を受け付けて、受け付けられた操作入力に基づいて、前記所定数の入力端子の中から１の入力端子を映像情報が入力される端子である映像入力端子として選択する端子選択手段と、
前記端子選択手段によって１の入力端子が選択された場合に、選択された１の入力端子を介して接続された外部機器から、選択された１の入力端子に対応する認証実行手段を介して映像情報を受信する映像受信手段と、
前記映像受信手段によって受信された映像情報をモニタに出力する表示制御手段と、
を備えることを特徴とする映像受信装置。
【請求項２】
前記入力端子は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であることを特徴とする請求項１に記載の映像受信装置。
【請求項３】
前記認証実行手段は、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行うことを特徴とする請求項１又は請求項２に記載の映像受信装置。
【請求項４】
前記所定数の入力端子毎に、各入力端子に外部機器が接続されているか否かを判定する接続判定手段を備え、
前記認証実行手段は、前記接続判定手段によって外部機器が接続されていると判定された場合に、外部機器が接続されていると判定された入力端子に対応する認証実行手段は、接続された外部機器との間で認証処理を行うことを特徴とする請求項１〜請求項３のいずれかに記載の映像受信装置。
【請求項５】
前記認証実行手段は、外部機器との間で認証処理を行う認証ＩＣ（Ｉｎｔｅｇｒａｔｅｄ  Ｃｉｒｃｕｉｔ）を備え、該認証ＩＣを介して認証処理を行うことを特徴とする請求項１〜請求項４のいずれかに記載の映像受信装置。
【請求項６】
請求項１〜請求項５のいずれかに記載の映像受信装置と、
テレビジョン放送を受信する放送受信手段と、
を備え、
前記放送受信手段を介して受信された映像情報、及び、前記映像受信装置の映像入力端子として選択された入力端子を介して外部機器から入力される映像情報の少なくとも一方をモニタに出力することを特徴とする放送受信装置。
【発明の詳細な説明】
【技術分野】
【０００１】
本発明は、２以上の予め設定された所定数の入力端子を備え、該所定数の入力端子の中から選択された１の入力端子を介して外部機器から入力された映像情報をモニタに出力可能に構成された映像受信装置に関する。また、テレビジョン放送を受信して、受信された映像情報をモニタに出力可能に構成された放送受信装置に関する。
【背景技術】
【０００２】
従来、映像情報を送出する外部機器と、外部機器からの映像情報を受け付けてモニタに表示する映像受信機器との間は、コンポーネント接続等のアナログ接続が一般的であるが、アナログ接続はノイズに弱く、映像信号が劣化する可能性がある。この問題を解決するために、外部機器と映像受信機器とをデジタル接続するＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格が定められた。また、デジタル接続の場合は不正コピーの懸念があるが、ＨＤＭＩではコピー防止技術であるＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）を採用することにより、認証に成功した機器間でのみ映像信号の送受信を可能にした。
【０００３】
上記ＨＤＭＩ規格に準拠してＨＤＣＰ方式の認証を行う種々の装置、方法が提案されている。例えば、コピー防止信号を含むデジタルＡＶ（Ａｕｄｉｏ／Ｖｉｓｕａｌ）信号を受信するためのデジタルインターフェイスと、それを介して外部機器との間でＡＶ信号出力の許可認証を行うための認証装置と、実行された認証結果をユーザに提示するための認証結果表示装置と、認証結果を判断し認証結果表示装置に出力するための制御装置とを具備するＡＶ信号受信機が提案されている（特許文献１参照）。
【特許文献１】特開２００６−２４６３００号公報
【発明の開示】
【発明が解決しようとする課題】
【０００４】
しかしながら、上記ＡＶ信号受信機等の従来の映像受信装置においては、複数の入力端子を備え、複数の入力端子の中から選択された１の入力端子を介して外部機器から入力された映像情報をモニタに出力可能に構成されている場合に、映像情報が入力される入力端子を切り換える度に、ＨＤＣＰ認証処理が実行されるため、ＨＤＣＰ認証処理に要する時間が長く、映像をモニタに表示するまでの待ち時間が長い場合があった。
【０００５】
本発明は、上記課題に鑑みてなされたものであって、映像をモニタに表示するまでの待ち時間を低減することの可能な映像受信装置及び放送受信装置を提供することを目的としている。
【課題を解決するための手段】
【０００６】
上記目的を達成するために請求項１に記載の映像受信装置は、２以上の予め設定された所定数の入力端子を備え、該所定数の入力端子の中から選択された１の入力端子を介して外部機器から入力された映像情報をモニタに出力可能に構成された映像受信装置であって、前記所定数の入力端子毎に、各入力端子に接続された外部機器との間で認証処理をそれぞれ行う前記所定数の認証実行手段と、外部からの操作入力を受け付けて、受け付けられた操作入力に基づいて、前記所定数の入力端子の中から１の入力端子を映像情報が入力される端子である映像入力端子として選択する端子選択手段と、前記端子選択手段によって１の入力端子が選択された場合に、選択された１の入力端子を介して接続された外部機器から、選択された１の入力端子に対応する認証実行手段を介して映像情報を受信する映像受信手段と、前記映像受信手段によって受信された映像情報をモニタに出力する表示制御手段と、を備えることを特徴としている。
【０００７】
請求項２に記載の映像受信装置は、請求項１に記載の映像受信装置であって、前記入力端子が、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であることを特徴としている。
【０００８】
請求項３に記載の映像受信装置は、請求項１又は請求項２に記載の映像受信装置であって、前記認証実行手段が、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行うことを特徴としている。
【０００９】
請求項４に記載の映像受信装置は、請求項１〜請求項３のいずれかに記載の映像受信装置であって、前記所定数の入力端子毎に、各入力端子に外部機器が接続されているか否かを判定する接続判定手段を備え、前記認証実行手段が、前記接続判定手段によって外部機器が接続されていると判定された場合に、外部機器が接続されていると判定された入力端子に対応する認証実行手段は、接続された外部機器との間で認証処理を行うことを特徴としている。
【００１０】
請求項５に記載の映像受信装置は、請求項１〜請求項４のいずれかに記載の映像受信装置であって、前記認証実行手段が、外部機器との間で認証処理を行う認証ＩＣ（Ｉｎｔｅｇｒａｔｅｄ  Ｃｉｒｃｕｉｔ）を備え、該認証ＩＣを介して認証処理を行うことを特徴としている。
【００１１】
請求項６に記載の放送受信装置は、請求項１〜請求項５のいずれかに記載の映像受信装置と、テレビジョン放送を受信する放送受信手段と、を備え、前記放送受信手段を介して受信された映像情報、及び、前記映像受信装置の映像入力端子として選択された入力端子を介して外部機器から入力される映像情報の少なくとも一方をモニタに出力することを特徴としている。
【発明の効果】
【００１２】
請求項１に記載の映像受信装置によれば、２以上の予め設定された所定数の認証実行手段によって、所定数の入力端子毎に、各入力端子に接続された外部機器との間で認証処理がそれぞれ行われる。そして、外部からの操作入力が受け付けられて、受け付けられた操作入力に基づいて、所定数の入力端子の中から１の入力端子が、映像情報が入力される端子である映像入力端子として選択され、選択された１の入力端子を介して接続された外部機器から、選択された１の入力端子に対応する認証実行手段を介して映像情報が受信され、受信された映像情報がモニタに出力されるため、映像をモニタに表示するまでの待ち時間を低減することができる。
【００１３】
すなわち、２以上の予め設定された所定数の認証実行手段によって、所定数の入力端子毎に、各入力端子に接続された外部機器との間で認証処理がそれぞれ行われるため、１の入力端子が、映像情報が入力される端子である映像入力端子として選択された場合に、選択された時点から認証処理を開始する必要がないので、映像をモニタに表示するまでの待ち時間を低減することができるのである。
【００１４】
つまり、例えば、入力端子に外部機器が接続された時点で、該入力端子に対応する認証実行手段によって、該入力端子に接続された外部機器との間で認証処理を行うことによって、１の入力端子が、映像情報が入力される端子である映像入力端子として選択された時点では既に認証処理が完了している（又は、認証処理を実行中である）ため、選択された時点から認証処理を開始する必要がないのである。
【００１５】
請求項２に記載の映像受信装置によれば、入力端子がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であるため、外部機器との間でＨＤＭＩ規格に準拠したデジタル通信を行うことができる。
【００１６】
請求項３に記載の映像受信装置によれば、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理が行われるため、不正コピーを確実に防止することができる。
【００１７】
請求項４に記載の映像受信装置によれば、２以上の予め設定された所定数の入力端子毎に、各入力端子に外部機器が接続されているか否かが判定され、外部機器が接続されていると判定された場合に、外部機器が接続されていると判定された入力端子に対応する認証実行手段によって、接続された外部機器との間で認証処理が行われるため、映像をモニタに表示するまでの待ち時間を確実に低減することができる。
【００１８】
すなわち、２以上の予め設定された所定数の認証実行手段によって、所定数の入力端子毎に、各入力端子に接続された外部機器との間で認証処理がそれぞれ行われるため、１の入力端子が、映像情報が入力される端子である映像入力端子として選択された場合に、選択された時点から認証処理を開始する必要がないので、映像をモニタに表示するまでの待ち時間を確実に低減することができるのである。
【００１９】
つまり、入力端子に外部機器が接続された時点で、該入力端子に対応する認証実行手段によって、該入力端子に接続された外部機器との間で認証処理を行うことによって、１の入力端子が、映像情報が入力される端子である映像入力端子として選択された時点では既に認証処理が完了している（又は、認証処理を実行中である）ため、選択された時点から認証処理を開始する必要がないのである。
【００２０】
請求項５に記載の映像受信装置によれば、認証実行手段が、外部機器との間で認証処理を行う認証ＩＣ（Ｉｎｔｅｇｒａｔｅｄ  Ｃｉｒｃｕｉｔ）を備え、該認証ＩＣを介して認証処理が行われるため、映像をモニタに表示するまでの待ち時間を更に確実に低減することができる。
【００２１】
すなわち、認証実行手段が、外部機器との間で認証処理を行う認証ＩＣ（Ｉｎｔｅｇｒａｔｅｄ  Ｃｉｒｃｕｉｔ）を備え、該認証ＩＣを介して認証処理が行われるため、認証ＩＣによって認証が完了した場合には、認証が完了した状態を保持することができる（＝外部機器との間で認証キーの交換を継続して実行することができる）ので、映像をモニタに表示するまでの待ち時間を更に確実に低減することができるのである。
【００２２】
請求項６に記載の放送受信装置によれば、請求項１〜請求項７のいずれかに記載の映像受信装置を備えており、テレビジョン放送を介して受信された映像情報、及び、映像受信装置の映像入力端子として選択された入力端子を介して外部機器から入力される映像情報の少なくとも一方がモニタに出力されるため、映像をモニタに表示するまでの待ち時間を低減することが可能な放送受信装置を実現することができる。
【発明を実施するための最良の形態】
【００２３】
以下に本発明の実施形態を、図面を参照しながら説明する。図１は、本発明に係るデジタル放送受信機の構成の一例を示すブロック図である。デジタル放送受信機１（映像受信装置、放送受信装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２４】
デジタル放送受信機１は、リモコン３を介してユーザからの操作入力を受け付けて、受け付けた操作入力に基づいて、デジタル方式のテレビジョン放送を受信し、受信した映像情報をディスプレイ２１に表示すると共に、受信した音声情報をスピーカ２２に出力するものである。また、デジタル放送受信機１は、リモコン３を介してユーザからの操作入力を受け付けて、受け付けた操作入力に基づいて、外部機器接続部１９を介して接続されたＤＶＤ（Ｄｉｇｉｔａｌ  Ｖｅｒｓａｔｉｌｅ  Ｄｉｓｋ）プレイヤ等の外部機器４から入力された映像情報をディスプレイ２１に表示すると共に、入力された音声情報をスピーカ２２に出力するものである。
【００２５】
出力装置２は、ディスプレイ２１及びスピーカ２２を備え、デジタル放送受信機１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報を外部から視認可能に表示するものである。スピーカ２２は、デジタル放送受信機１から入力された音声情報を出力するものである。
【００２６】
リモコン３（端子選択手段の一部に相当する）は、ユーザからの操作入力を受け付けて、受け付けられた操作入力に対応する赤外線信号を生成して、デジタル放送受信機１に対して出力するものである。
【００２７】
また、デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、外部機器接続部１９を備えている。
【００２８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２９】
操作部１４は、電源のＯＮ、ＯＦＦ操作、選局、外部入力の選択（＝ディスプレイ２１等に出力する映像情報等を受信するＨＤＭＩポート１９１、１９２の選択）等の各種操作を受け付けるものである。また、操作部１４は、赤外線通信を介して、リモコン３からの操作信号を受け付けて、各種操作を受け付けるものである。受信部１５（放送受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３０】
アンテナ部１５１は、テレビジョン放送波を受信するものである。チューナ部１５２は、アンテナ部１５１で受信されたテレビジョン放送波から、予め設定された（又は、リモコン３を介して受け付けられた）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３１】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３３】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３４】
外部機器接続部１９は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に則って、外部機器４との間で認証処理を行い、認証処理が成功した外部機器４から映像情報及び音声情報を受信するものであって、ＨＤＭＩポート１９１、１９２、及び、ＨＤＭＩ通信部１９３を備えている。ＨＤＭＩポート１９１、１９２（入力端子に相当する）は、それぞれ、ＨＤＭＩ規格に準拠した入力端子である。ＨＤＭＩ通信部１９３は、ＨＤＭＩポート１９１、１９２を介して接続されたＤＶＤプレイヤ等の外部機器４との間で、ＭＰＵ１１（後述する認証実行指示部１１２）からの指示に従って、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行い、認証処理が成功した外部機器４から映像情報及び音声情報を受信するものである。
【００３５】
また、ここでは、外部機器接続部１９は、２個（予め設定された所定数に相当する）のＨＤＭＩポート１９１、１９２を備え、各ＨＤＭＩポート１９１、１９２には、それぞれ、外部機器４１、４２が、図略のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して通信可能に接続される。
【００３６】
次に、デジタル放送受信機１が放送を受信する場合の動作について説明する。まず、送信されてきたデジタル放送波がアンテナ部１５１で受信される。操作部１４（又はリモコン３）を介して選局操作が受け付けられた場合には、チューナ部１５２によって受信するトランスポンダ（Ｔｒａｎｓｐｏｎｄｅｒ）の切り換えが行われる。受信されたデジタル放送波は、Ａ／Ｄ変換部１５３によりデジタル情報に変換され、復調部１５４によって復調される。
【００３７】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３８】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３９】
図２は、本発明に係るデジタル放送受信機１における主要部の構成の一例を示すブロック図である。ＨＤＭＩ通信部１９３は、認証ＩＣ１９３ａ、１９３ｂ、及び、通信制御部１９３ｃを備えている。また、ＭＰＵ１１は、機能的に、接続判定部１１１、認証実行指示部１１２、端子選択部１１３、映像受信部１１４、及び、表示制御部１１５を備えている。
【００４０】
ここでは、ＭＰＵ１１が、図１に示すＲＯＭ１３等に予め格納された制御プログラムを読み出して実行することにより、接続判定部１１１、認証実行指示部１１２、端子選択部１１３、映像受信部１１４、表示制御部１１５等の機能部として機能するものである。
【００４１】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００４２】
認証ＩＣ（Ｉｎｔｅｇｒａｔｅｄ  Ｃｉｒｃｕｉｔ）１９３ａ、１９３ｂ（認証実行手段の一部に相当する）は、それぞれ、ＨＤＭＩポート１９１、１９２を介して外部機器４１、４２との間でＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行うものである。
【００４３】
具体的には、接続判定部１１１によって外部機器４（４１、４２）が接続されていると判定された場合に、外部機器４（４１、４２）が接続されていると判定されたＨＤＭＩポート１９１、１９２に対応する認証ＩＣ１９３ａ、１９３ｂは、接続された外部機器４（４１、４２）との間で認証処理の実行を開始し、認証処理の初期処理が終了した場合には、認証が完了した状態を保持する（＝外部機器４（４１、４２）との間で認証キーの交換を継続して実行する）ものである。
【００４４】
通信制御部１９３ｃ（接続判定手段の一部、認証実行手段の一部、端子選択手段の一部、映像受信手段の一部に相当する）は、接続判定部１１１からの指示に従って、ＨＤＭＩポート１９１、１９２にそれぞれ外部機器４（４１、４２）が接続されているか否かを判定するものである。また、通信制御部１９３ｃは、認証実行指示部１１２からの指示に従って、認証ＩＣ１９３ａ、１９３ｂに対して認証処理を実行させるものである。
【００４５】
更に、通信制御部１９３ｃは、端子選択部１１３からの指示に従って、映像情報を受信するＨＤＭＩポート１９１、１９２を設定するものである。加えて、通信制御部１９３ｃは、映像受信部１１４からの指示に従って、外部機器４（４１、４２）から映像情報を受信し、受信された映像情報を複合化（＝デコード）するものである。
【００４６】
接続判定部１１１（接続判定手段の一部に相当する）は、通信制御部１９３ｃを介して、ＨＤＭＩポート１９１、１９２毎に、各ＨＤＭＩポート１９１、１９２に外部機器４１、４２が接続されたか否かを判定するものである。
【００４７】
認証実行指示部１１２（認証実行手段の一部に相当する）は、接続判定部１１１によって外部機器４（４１、４２）が接続されていると判定された場合に、外部機器４（４１、４２）が接続されていると判定されたＨＤＭＩポート１９１、１９２に対応する認証ＩＣ１９３ａ、１９３ｂに対して、接続された外部機器４（４１、４２）との間で認証処理を行わせるものである。
【００４８】
端子選択部１１３（端子選択手段の一部に相当する）は、リモコン３を介してユーザからの操作入力を受け付けて、受け付けられた操作入力に基づいて、ディスプレイ２１に出力する映像情報として、受信部１５を介して受信された映像情報、映像入力端子として選択されたＨＤＭＩポート１９１、１９２を介して外部機器４（４１、４２）から入力される映像情報の一方を選択すると共に、ＨＤＭＩポート１９１、１９２の中から１のＨＤＭＩポート１９１、１９２を映像情報が入力される端子である映像入力端子として選択するものである。
【００４９】
すなわち、端子選択部１１３は、ディスプレイ２１に出力する映像情報として、受信部１５を介して受信された映像情報、ＨＤＭＩポート１９１を介して外部機器４１から入力される映像情報、及び、ＨＤＭＩポート１９２を介して外部機器４２から入力される映像情報の中から１の映像情報を選択するものである。
【００５０】
映像受信部１１４（映像受信手段の一部に相当する）は、ディスプレイ２１に出力する映像情報として、端子選択部１１３によって１のＨＤＭＩポート１９１（又はＨＤＭＩポート１９２）が選択された場合に、選択された１のＨＤＭＩポート１９１（又はＨＤＭＩポート１９２）を介して接続された外部機器４１（又は外部機器４２）から、選択された１のＨＤＭＩポート１９１（又はＨＤＭＩポート１９２）に対応する認証ＩＣ１９３ａ（又は認証ＩＣ１９３ｂ）を介して映像情報を受信するものである。
【００５１】
また、映像受信部１１４は、ディスプレイ２１に出力する映像情報として、端子選択部１１３によって受信部１５を介して受信された映像情報が選択された場合には、受信部１５を介して映像情報を受信するものである。
【００５２】
具体的には、映像受信部１１４は、端子選択部１１３によって１のＨＤＭＩポート１９１（又はＨＤＭＩポート１９２）が選択された場合に、選択された１のＨＤＭＩポート１９１（又はＨＤＭＩポート１９２）を介して接続された外部機器４１（又は、外部機器４２）との間で認証処理の初期処理が終了しているか否かを判定し、認証処理の初期処理が終了していると判定された場合には、選択された１のＨＤＭＩポート１９１（又は、ＨＤＭＩポート１９２）を介して接続された外部機器４１（又は、外部機器４２）から映像情報を受信する。一方、認証処理の初期処理が終了していないと判定された場合には、映像受信部１１４は、選択された１のＨＤＭＩポート１９１（又は、ＨＤＭＩポート１９２）に対応する認証ＩＣ１９３ａ（又は、認証ＩＣ１９３ｂ）によって認証処理の初期処理が終了するまで待機する（＝処理を中断する）ものである。
【００５３】
表示制御部１１５（表示制御手段に相当する）は、映像受信部１１４によって受信された映像情報をディスプレイ２１に出力するものである。
【００５４】
図３、デジタル放送受信機１（主にＭＰＵ１１）の認証動作の一例を示すフローチャートである。まず、接続判定部１１１によって、ＨＤＭＩポート１９１、１９２に外部機器４１、４２が接続されたか否かが判定される（Ｓ１０１）。外部機器４１、４２が接続されていないと判定された場合（Ｓ１０１でＮＯ）には、処理が待機状態とされる。外部機器４１、４２が接続された（＝接続されていない状態から、接続されている状態に変化した）と判定された場合（Ｓ１０１でＹＥＳ）には、接続判定部１１１によって、外部機器４１、４２が接続されたポートがＨＤＭＩポート１９１であるか否かの判定が行われる（Ｓ１０５）。
【００５５】
接続されたポートがＨＤＭＩポート１９１ではないと判定された場合（Ｓ１０５でＮＯ）には、処理がステップＳ１１３に進められる。接続されたポートがＨＤＭＩポート１９１ではあると判定された場合（Ｓ１０５でＹＥＳ）には、認証実行指示部１１２によって、認証ＩＣ１９３ａを介して、接続された外部機器４１との間で認証処理が行われる（Ｓ１０７）。そして、認証ＩＣ１９３ａによって、認証処理の初期処理が完了したか否かの判定が行われる（Ｓ１０９）。認証処理の初期処理が完了していないと判定された場合（Ｓ１０９でＮＯ）には、処理がステップＳ１０７に戻され、ステップＳ１０７以降の処理が繰り返し実行される。認証処理の初期処理が完了したと判定された場合（Ｓ１０９でＹＥＳ）には、認証ＩＣ１９３ａによって、認証が完了した状態を保持され（＝外部機器４１との間で認証キーの交換が継続して実行され）（Ｓ１１１）、処理がリターンされる。
【００５６】
接続されたポートがＨＤＭＩポート１９１ではないと判定された場合（Ｓ１０５でＮＯ）には、認証実行指示部１１２によって、認証ＩＣ１９３ｂを介して、接続された外部機器４２との間で認証処理が行われる（Ｓ１１３）。そして、認証ＩＣ１９３ｂによって、認証処理の初期処理が完了したか否かの判定が行われる（Ｓ１１５）。認証処理の初期処理が完了していないと判定された場合（Ｓ１１５でＮＯ）には、処理がステップＳ１１３に戻され、ステップＳ１１３以降の処理が繰り返し実行される。認証処理の初期処理が完了したと判定された場合（Ｓ１１５でＹＥＳ）には、認証ＩＣ１９３ｂによって、認証が完了した状態を保持され（＝外部機器４２との間で認証キーの交換が継続して実行され）（Ｓ１１７）、処理がリターンされる。
【００５７】
図４、デジタル放送受信機１（主にＭＰＵ１１）の映像表示動作の一例を示すフローチャートである。まず、端子選択部１１３によって、ディスプレイ２１に出力する映像情報として、ＨＤＭＩポート１９１（又はＨＤＭＩポート１９２）を介して外部機器４１（又は、外部機器４２）から入力される映像情報が選択されたか否かの判定が行われる（Ｓ２０１）。ＨＤＭＩポート１９１（又はＨＤＭＩポート１９２）を介して外部機器４１（又は、外部機器４２）から入力される映像情報が選択されていない（＝受信部１５を介して受信された映像情報が選択された）と判定された場合には、処理がステップＳ２０７に進められる。
【００５８】
ＨＤＭＩポート１９１（又はＨＤＭＩポート１９２）を介して外部機器４１（又は、外部機器４２）から入力される映像情報が選択されたと判定された場合には、映像受信部１１４によって、ステップＳ２０１において選択されたＨＤＭＩポート１９１（又はＨＤＭＩポート１９２）対応する認証ＩＣ１９３ａ（又は認証ＩＣ１９３ｂ）に対して、認証処理の初期処理が完了しているか否か（＝外部機器４１（又は、外部機器４２）との間で認証キーの交換を継続して実行している状態であるか否か）の判定が行われる（Ｓ２０３）。認証処理の初期処理が完了していないと判定された場合（Ｓ２０３でＮＯ）には、処理が待機状態とされる。認証処理の初期処理が完了したと判定された場合（Ｓ２０３でＹＥＳ）には、映像受信部１１４によって、外部機器４１（又は、外部機器４２）から映像情報が受信される（Ｓ２０５）。そして、表示制御部１１５によって、ステップＳ２０５において受信された映像情報がディスプレイ２１に表示され（Ｓ２０９）、処理がリターンされる。
【００５９】
ステップＳ２０１でＮＯの場合には、映像受信部１１４によって、受信部１５を介して受信された映像情報が受信される（Ｓ２０７）。そして、表示制御部１１５によって、ステップＳ２０７において受信された映像情報がディスプレイ２１に表示され（Ｓ２０９）、処理がリターンされる。
【００６０】
このようにして、２以上の予め設定された所定数（ここでは、２個）の認証ＩＣ１９３ａ、１９３ｂによって、所定数（ここでは、２個）のＨＤＭＩポート１９１、１９２毎に、各ＨＤＭＩポート１９１、１９２に接続された外部機器４（４１、４２）との間で認証処理がそれぞれ行われる。そして、リモコン３を介してユーザからの操作入力が受け付けられて、受け付けられた操作入力に基づいて、所定数（ここでは、２個）のＨＤＭＩポート１９１、１９２の中から１のＨＤＭＩポート１９１（又は、ＨＤＭＩポート１９２）が、映像情報が入力される端子である映像入力端子として選択され、選択された１のＨＤＭＩポート１９１（又は、ＨＤＭＩポート１９２）を介して接続された外部機器４１（又は、外部機器４２）から、選択された１のＨＤＭＩポート１９１（又は、ＨＤＭＩポート１９２）に対応する認証ＩＣ１９３ａ（又は、認証ＩＣ１９３ｂ）を介して映像情報が受信され、受信された映像情報がディスプレイ２１に出力されるため、映像をディスプレイ２１に表示するまでの待ち時間を低減することができる。
【００６１】
すなわち、２以上の予め設定された所定数（ここでは、２個）の認証ＩＣ１９３ａ、１９３ｂによって、所定数（ここでは、２個）のＨＤＭＩポート１９１、１９２毎に、各ＨＤＭＩポート１９１、１９２に接続された外部機器４（４１、４２）との間で認証処理がそれぞれ行われるため、１のＨＤＭＩポート１９１（又は、ＨＤＭＩポート１９２）が、映像情報が入力される端子である映像入力端子として選択された場合に、選択された時点から認証処理を開始する必要がないので、映像をディスプレイ２１に表示するまでの待ち時間を低減することができるのである。
【００６２】
つまり、例えば、ＨＤＭＩポート１９１（又は、ＨＤＭＩポート１９２）に外部機器４１（又は、外部機器４２）が接続された時点で、ＨＤＭＩポート１９１（又は、ＨＤＭＩポート１９２）に対応する認証ＩＣ１９３ａ（又は、認証ＩＣ１９３ｂ）によって、ＨＤＭＩポート１９１（又は、ＨＤＭＩポート１９２）に接続された外部機器４１（又は、外部機器４２）との間で認証処理を行うことによって、１のＨＤＭＩポート１９１（又は、ＨＤＭＩポート１９２）が、映像情報が入力される端子である映像入力端子として選択された時点では既に認証処理が完了している（又は、認証処理を実行中である）ため、選択された時点から認証処理を開始する必要がないのである。
【００６３】
また、入力端子がＨＤＭＩ規格に準拠した入力端子（＝ＨＤＭＩポート１９１、１９２）であるため、外部機器４（４１、４２）との間でＨＤＭＩ規格に準拠したデジタル通信を行うことができる。
【００６４】
更に、ＨＤＣＰ方式の認証処理が行われるため、不正コピーを確実に防止することができる。
【００６５】
加えて、２以上の予め設定された所定数（ここでは、２個）のＨＤＭＩポート１９１、１９２毎に、各ＨＤＭＩポート１９１、１９２に外部機器４（４１、４２）が接続されているか否かが判定され、外部機器４（４１、４２）が接続されていると判定された場合に、外部機器４（４１、４２）が接続されていると判定されたＨＤＭＩポート１９１（又は、ＨＤＭＩポート１９２）に対応する認証ＩＣ１９３ａ（又は、認証ＩＣ１９３ｂ）によって、接続された外部機器４１（又は、外部機器４２）との間で認証処理が行われるため、映像をディスプレイ２１に表示するまでの待ち時間を確実に低減することができる。
【００６６】
すなわち、２以上の予め設定された所定数（ここでは、２個）の認証ＩＣ１９３ａ、１９３ｂによって、所定数（ここでは、２個）のＨＤＭＩポート１９１、１９２毎に、各ＨＤＭＩポート１９１、１９２に接続された外部機器４（４１、４２）との間で認証処理がそれぞれ行われるため、１のＨＤＭＩポート１９１（又は、ＨＤＭＩポート１９２）が、映像情報が入力される端子である映像入力端子として選択された場合に、選択された時点から認証処理を開始する必要がないので、映像をディスプレイ２１に表示するまでの待ち時間を確実に低減することができるのである。
【００６７】
つまり、ＨＤＭＩポート１９１（又は、ＨＤＭＩポート１９２）に外部機器４１（又は、外部機器４２）が接続された時点で、ＨＤＭＩポート１９１（又は、ＨＤＭＩポート１９２）に対応する認証ＩＣ１９３ａ（又は、認証ＩＣ１９３ｂ）によって、ＨＤＭＩポート１９１（又は、ＨＤＭＩポート１９２）に接続された外部機器４１（又は、外部機器４２）との間で認証処理を行うことによって、ＨＤＭＩポート１９１（又は、ＨＤＭＩポート１９２）が、映像情報が入力される端子である映像入力端子として選択された時点では既に認証処理が完了している（又は、認証処理を実行中である）ため、選択された時点から認証処理を開始する必要がないのである。
【００６８】
また、外部機器４１、４２との間で、それぞれ、認証処理を行う認証ＩＣ１９３ａ、１９３ｂを備え、認証ＩＣ１９３ａ、１９３ｂを介して認証処理が行われるため、映像をディスプレイ２１に表示するまでの待ち時間を更に確実に低減することができる。
【００６９】
すなわち、外部機器４１、４２との間で、それぞれ、認証処理を行う認証ＩＣ１９３ａ、１９３ｂを備え、認証ＩＣ１９３ａ、１９３ｂを介して認証処理が行われるため、認証ＩＣ１９３ａ、１９３ｂによって認証が完了した場合には、認証が完了した状態を保持することができる（＝外部機器４１、４２との間で認証キーの交換を継続して実行することができる）ので、映像をディスプレイ２１に表示するまでの待ち時間を更に確実に低減することができるのである。
【００７０】
なお、本発明は、以下の形態にも適用可能である。
（Ａ）本実施形態では、映像受信装置が、デジタル放送受信機１である場合について説明したが、映像受信装置が、２以上の予め設定された所定数の入力端子を備え、該所定数の入力端子の中から選択された１の入力端子を介して外部機器４から入力された映像情報をディスプレイ２１に出力可能に構成された装置であればよい。すなわち、映像受信装置が、デジタル放送を受信する受信部１５を備えていない形態でもよい。
【００７１】
（Ｂ）本実施形態では、放送受信装置が、デジタル放送受信機１である場合について説明したが、テレビジョン放送を受信可能に構成され、受信された映像情報、及び、外部機器接続部１９を介して外部機器４から入力される映像情報の少なくとも一方をディスプレイ２１に出力する形態であればよい。すなわち、放送受信装置が、アナログ方式のテレビジョン放送を受信する形態でもよいし、放送受信装置が、アナログ方式及びデジタル方式のテレビジョン放送を受信する形態でもよい。
【００７２】
（Ｃ）本実施形態では、外部機器接続部１９が２個のＨＤＭＩポート１９１、１９２を有する場合について説明したが、外部機器接続部１９が３個以上のＨＤＭＩポートを有する形態でもよい。
【００７３】
（Ｄ）本実施形態では、入力端子がＨＤＭＩ規格に準拠したＨＤＭＩポート１９１、１９２である場合について説明したが、入力端子がデジタル信号を通信可能な形態であればよい。例えば、入力端子がＤＶＩ（Ｄｉｇｉｔａｌ  Ｖｉｓｕａｌ  Ｉｎｔｅｒｆａｃｅ）規格に準拠したＤＶＤポートある形態でもよい。
【００７４】
（Ｅ）本実施形態では、認証ＩＣ１９３ａ、１９３ｂが、ＨＤＣＰ方式の認証処理を実行する場合について説明したが、認証ＩＣ１９３ａ、１９３ｂが、他の方式の認証処理を実行する形態でもよい。
【００７５】
（Ｆ）本実施形態では、ＭＰＵ１１が、接続判定部１１１、認証実行指示部１１２、端子選択部１１３、映像受信部１１４、表示制御部１１５等の機能部を備える場合について説明したが、接続判定部１１１、認証実行指示部１１２、端子選択部１１３、映像受信部１１４、及び、表示制御部１１５の内、少なくとも１の機能部が回路等のハードウェアによって実現されている形態でもよい。
【図面の簡単な説明】
【００７６】
【図１】は、本発明に係るデジタル放送受信機の構成の一例を示すブロック図である。
【図２】は、本発明に係るデジタル放送受信機における主要部の構成の一例を示すブロック図である。
【図３】は、デジタル放送受信機（主にＭＰＵ）の認証動作の一例を示すフローチャートである。
【図４】は、デジタル放送受信機（主にＭＰＵ）の映像表示動作の一例を示すフローチャートである。
【符号の説明】
【００７７】
１    デジタル放送受信機（映像受信装置、放送受信装置）
１１    ＭＰＵ
１１１    接続判定部（接続判定手段の一部）
１１２    認証実行指示部（認証実行手段の一部）
１１３    端子選択部（端子選択手段の一部）
１１４    映像受信部（映像受信手段の一部）
１１５    表示制御部（表示制御手段）
１５    受信部（放送受信手段）
１９    外部機器接続部
１９１、１９２    ＨＤＭＩポート（入力端子）
１９３    ＨＤＭＩ通信部
１９３ａ、１９３ｂ    認証ＩＣ（認証実行手段の一部）
１９３ｃ    通信制御部（接続判定手段の一部、認証実行手段の一部、端子選択手段の一部、映像受信手段の一部）
２    出力装置
２１    ディスプレイ（モニタ）
３    リモコン（端子選択手段の一部）
４（４１、４２）    外部機器
【図１】
2008306232.tif 000003
【図２】
2008306232.tif 000004
【図３】
2008306232.tif 000005
【図４】
2008306232.tif 000006